(57)【特許請求の範囲】
【請求項１】
下記（ａ）成分２０質量％以上６０質量％以下、（ｂ）成分３０質量％以下、（ｃ）成分０．５質量％以上５質量％以下、（ｄ）成分０．５質量％以上５質量％以下、（ｅ）成分５質量％以上４０質量％以下、及び水を含有し、
（ｂ）成分として下記（ｂ１）成分を含有し、
（ｂ１）成分の含有量と（ａ）成分との含有量との質量比が、（ｂ１）成分／（ａ）成分で、０．１２以上１．６以下であり、
（ｂ１）成分の含有量と（ｂ）成分との含有量との質量比が、（ｂ１）成分／（ｂ）成分で、０．４０以上０．９０以下であり、
（ｂ）成分の含有量と（ａ）成分の含有量との質量比が、（ｂ）成分／（ａ）成分で、０．２以上１．６以下である、
衣料用液体洗浄剤組成物。
（ａ）成分：下記一般式（ａ）で表される陰イオン界面活性剤
Ｒ１ａ−Ｏ−〔（Ａ１Ｏ）ｐ／（ＥＯ）ｑ〕−ＳＯ３Ｍ        （ａ）
〔式中、Ｒ１ａは炭素数８以上２２以下の炭化水素基を示し、Ａ１Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは１以上５以下の数、ｑは０以上１０以下の数である。“／”はＡ１Ｏ基及びＥＯ基が、順不同にブロック又はランダムで結合していることを示す。Ｍは陽イオンである。〕
（ｂ）成分：下記一般式（ｂ）で表される化合物
Ｒ１ｂ−Ｏ−（Ａ２Ｏ）ｍ−Ｈ            （ｂ）
〔式中、Ｒ１ｂは炭素数８以上１８以下の炭化水素基を示し、Ａ２Ｏは炭素数２以上３以下のアルキレンオキシ基を示し、ｍは０以上３０以下の整数である。〕
（ｂ１）成分：下記一般式（ｂ１）で表される化合物
Ｒ２ｂ−Ｏ−（ＥＯ）ｎ−Ｈ        （ｂ１）
〔式中、Ｒ２ｂは炭素数８以上１８以下の炭化水素基を示し、ＥＯはエキレンオキシ基を示し、ｎは２以上５以下の整数である。〕
（ｃ）成分：下記一般式（ｃ）で表される化合物
【化１】
0006758804.tif 000010
〔式中、Ｒ１ｃは、炭素数８以上１６以下の炭化水素基であり、Ｒ２ｃ、Ｒ３ｃ、Ｒ４ｃは、それぞれ、炭素数８以上１０以下の炭化水素基、炭素数１以上３以下のアルキル基、炭素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数であり、Ｘ−は、ハロゲンイオン、及び炭素数１以上３以下のアルキル硫酸イオンから選ばれる陰イオンである。但し、Ｒ１ｃが炭素数１２以上１６以下の炭化水素基である場合には、Ｒ２ｃは、炭素数１以上３以下のアルキル基、炭素数１以上３以下のヒドロキシアルキル基、−（Ａ３Ｏ）ｋ−Ｈ、又はベンジル基から選ばれる基であり、Ｒ１ｃが炭素数８以上１１以下の炭化水素基である場合には、Ｒ２ｃは炭素数８以上１１以下の炭化水素基である。〕
（ｄ）成分：炭素数４以上１２以下であり、２価以上４価以下のカルボン酸又はその塩
（ｅ）成分：水酸基を１つ以上有する有機溶剤
【請求項２】
（ａ）成分が、一般式（ａ）中の（Ａ１Ｏ）ｐ基及び（ＥＯ）ｑ基が、順不同にブロックで結合している陰イオン界面活性剤である、請求項１に記載の衣料用液体洗浄剤組成物。
【請求項３】
（ａ）成分が、下記一般式（ａ−１）で表される陰イオン界面活性剤及び一般式（ａ−２）で表される陰イオン界面活性剤から選ばれる１種以上の陰イオン界面活性剤である、請求項１又は２に記載の衣料用液体洗浄剤組成物。
Ｒ２ａ−Ｏ−（Ａ１Ｏ）ｐ１−（ＥＯ）ｑ１−ＳＯ３Ｍ        （ａ−１）
〔式中、Ｒ２ａは炭素数８以上２２以下の炭化水素基を示し、Ａ１Ｏは炭素数３のアルキレンオキシ基及び炭素数４のアルキレンオキシ基から選ばれるアルキレンオキシ基を示し、ＥＯはエチレンオキシ基を示し、ｐ１及びｑ１は平均付加モル数を示し、ｐ１は１以上５以下の数、ｑ１は０以上１０以下の数である。Ｍは陽イオンである。〕
Ｒ２ａ−Ｏ−（ＥＯ）ｑ２−（Ａ１Ｏ）ｐ２−ＳＯ３Ｍ        （ａ−２）
〔式中、Ｒ２ａは炭素数８以上２２以下の炭化水素基を示し、Ａ１Ｏは炭素数３のアルキレンオキシ基及び炭素数４のアルキレンオキシ基から選ばれるアルキレンオキシ基を示し、ＥＯはエチレンオキシ基を示し、ｐ２及びｑ２は平均付加モル数を示し、ｐ２は１以上５以下の数、ｑ２は０．５以上５以下の数である。Ｍは陽イオンである。〕
【請求項４】
（ｅ）成分として、炭素数２以上５以下のジオールを含有する、請求項１〜３の何れかに記載の衣料用液体洗浄剤組成物。
【請求項５】
更に（ｆ）成分として、炭素数１２以上１６以下の脂肪酸又はその塩を含有する、請求項１〜４の何れかに記載の衣料用液体洗浄剤組成物。
【請求項６】
（ｆ）成分として、炭素数１２の脂肪酸又はその塩と炭素数１４以上１６以下の脂肪酸又はその塩とを含有する、請求項５に記載の衣料用液体洗浄剤組成物。
【請求項７】
更に（ｇ）成分として、酵素を含有する、請求項１〜６の何れかに記載の衣料用液体洗浄剤組成物。
【請求項８】
水と、請求項１〜７の何れかに記載の衣料用液体洗浄剤組成物０．０１質量％以上０．１質量％以下とを含有する、温度が０℃以上３５℃以下の洗浄液で、衣料を、洗浄液の量（リットル）／衣料の質量（ｋｇ）＝３以上５０以下の条件で、１分以上７分以下洗浄する、衣料の洗浄方法。
【請求項９】
衣料を３分以上７分以下洗浄する、請求項８に記載の衣料の洗浄方法。
【請求項１０】
衣料の洗浄を、回転式洗濯機を用いて行う、請求項８又は９に記載の衣料の洗浄方法。
【請求項１１】
回転式洗濯機が、ドラム式全自動洗濯機、パルセータ式全自動洗濯機又はアジテータ式全自動洗濯機である、請求項１０に記載の衣料の洗浄方法。
【発明の詳細な説明】
【技術分野】
【０００１】
本発明は、衣料用液体洗浄剤組成物と衣料の洗浄方法に関する。
【背景技術】
【０００２】
近年、世界規模でのエネルギー問題、二酸化炭素排出量の削減、渇水化問題などが深刻化しており、環境に対する意識が高まっている。容器樹脂量の削減、輸送燃料費の削減、使用後のゴミの削減等から、高濃度タイプの液体洗浄剤組成物に関する技術が開示されている。特許文献１には、（ａ）エチレンオキシ基の平均付加モル数が１以上１０の以下非イオン界面活性剤、（ｂ）炭素数３及び／又は４のアルキレンオキシ基を有する陰イオン界面活性剤、並びに（ｃ）特定の溶剤を含有し、（ａ）成分と（ｂ）成分の含有量及び質量比が特定範囲にある、洗浄性と洗浄速度に優れた衣料用液体洗浄剤組成物が開示されている。
【０００３】
特定の鎖長の炭化水素基を有するカチオン界面活性剤は殺菌性能を有することが知られている。また、衣料に前記のカチオン界面活性剤を処理することで、衣料に抗菌性能を付与できることも知られている。アニオン界面活性剤を主成分とする洗浄剤組成物にカチオン界面活性剤を併用すると、カチオン界面活性剤の性能が低下することも知られており、種々の解決法が開示されている。特許文献２には、（ａ）カチオン系殺菌剤、（ｂ）該殺菌剤の０．５倍モル以上の金属キレート剤、並びに（ｃ）非イオン性界面活性剤及び／又は両性界面活性剤を含有する殺菌消毒洗浄剤組成物が開示されている。当該組成物は、陰イオン電荷を有する物質との共存下においても、カチオン系殺菌剤の活性が低下しないため、カチオン系殺菌剤本来の作用を充分に発揮することができ、洗浄力にも優れていることが開示されている。特許文献３には、アニオン性を示す界面活性剤に、特定の構造の第四級アンモニウム塩からなるカチオン界面活性剤を添加すると共に、エチレンジアミンテトラアセテート及びその塩、フィチン酸及びその塩、ポリカルボン酸及びその塩並びにポリリン酸及びその塩から選ばれる一種以上の金属キレート剤を添加配合してなる洗浄剤組成物が開示されている。当該組成物は、アニオン性を示す界面活性剤を主要成分としてカチオン界面活性剤を添加した洗浄剤組成物において、柔軟効果、静電気防止効果、殺菌効果及びリンス効果等といったカチオン界面活性剤の効果を失活させることなく発現できることが記載されている。特許文献４には、炭素数１２の第１級の直鎖アルキル基を有し、特定の付加モル数のエチレンオキシ基を有する化合物と特定の構造のカチオン界面活性剤を併用することで衣料に抗菌効果が付与できることが記載されている。
【先行技術文献】
【特許文献】
【０００４】
【特許文献１】国際公開第２０１４／１０４０４４号
【特許文献２】特開平７−５３９９５号公報
【特許文献３】特開平６−１２２８９３号公報
【特許文献４】特開平２０１２−２３３１４４号公報
【発明の概要】
【発明が解決しようとする課題】
【０００５】
本発明は、衣料に付着した汚れの洗浄力が良好で、且つ透明な外観を有し、衣料に抗菌性能を付与することができる衣料用液体洗浄剤組成物を提供する。
【課題を解決するための手段】
【０００６】
本発明は、下記（ａ）成分２０質量％以上６０質量％以下、（ｂ）成分、（ｃ）成分０．５質量％以上５質量％以下、（ｄ）成分０．５質量％以上５質量％以下、（ｅ）成分５質量％以上４０質量％以下、及び水を含有し、
（ｂ）成分として下記（ｂ１）成分を含有し、
（ｂ１）成分の含有量と（ａ）成分との含有量との質量比が、（ｂ１）成分／（ａ）成分で、０．０７以上１．６以下であり、
（ｂ１）成分の含有量と（ｂ）成分との含有量との質量比が、（ｂ１）成分／（ｂ）成分で、０．２以上１以下であり、
（ｂ）成分の含有量と（ａ）成分の含有量との質量比が、（ｂ）成分／（ａ）成分で、０．２以上１．６以下である、
衣料用液体洗浄剤組成物に関する。
（ａ）成分：下記一般式（ａ）で表される陰イオン界面活性剤
Ｒ１ａ−Ｏ−〔（Ａ１Ｏ）ｐ／（ＥＯ）ｑ〕−ＳＯ３Ｍ        （ａ）
〔式中、Ｒ１ａは炭素数８以上２２以下の炭化水素基を示し、Ａ１Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは１以上５以下の数、ｑは０以上１０以下の数である。“／”はＡ１Ｏ基及びＥＯ基が、順不同にブロック又はランダムで結合していることを示す。Ｍは陽イオンである。〕
（ｂ）成分：下記一般式（ｂ）で表される化合物
Ｒ１ｂ−Ｏ−（Ａ２Ｏ）ｍ−Ｈ            （ｂ）
〔式中、Ｒ１ｂは炭素数８以上１８以下の炭化水素基を示し、Ａ２Ｏは炭素数２以上３以下のアルキレンオキシ基を示し、ｍは０以上３０以下の整数である。〕
（ｂ１）成分：下記一般式（ｂ１）で表される化合物
Ｒ２ｂ−Ｏ−（ＥＯ）ｎ−Ｈ        （ｂ１）
〔式中、Ｒ２ｂは炭素数８以上１８以下の炭化水素基を示し、ＥＯはエキレンオキシ基を示し、ｎは２以上５以下の整数である。〕
（ｃ）成分：下記一般式（ｃ）で表される化合物
【０００７】
【化１】
0006758804.tif 000002
【０００８】
〔式中、Ｒ１ｃは、炭素数８以上１６以下の炭化水素基であり、Ｒ２ｃ、Ｒ３ｃ、Ｒ４ｃは、それぞれ、炭素数８以上１０以下の炭化水素基、炭素数１以上３以下のアルキル基、炭素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数であり、Ｘ−は、ハロゲンイオン、及び炭素数１以上３以下のアルキル硫酸イオンから選ばれる陰イオンである。但し、Ｒ１ｃが炭素数１２以上１６以下の炭化水素基である場合には、Ｒ２ｃは、炭素数１以上３以下のアルキル基、炭素数１以上３以下のヒドロキシアルキル基、−（Ａ３Ｏ）ｋ−Ｈ、又はベンジル基から選ばれる基であり、Ｒ１ｃが炭素数８以上１１以下の炭化水素基である場合には、Ｒ２ｃは炭素数８以上１１以下の炭化水素基である。〕
（ｄ）成分：炭素数４以上１２以下であり、２価以上４価以下のカルボン酸又はその塩
（ｅ）成分：水酸基を１つ以上有する有機溶剤
【０００９】
また、本発明は、水と、上記本発明の衣料用液体洗浄剤組成物０．０１質量％以上０．１質量％以下とを含有する、温度が０℃以上３５℃以下の洗浄液で、衣料を、洗浄液の量（リットル）／衣料の質量（ｋｇ）＝３以上５０以下の条件で、１分以上７分以下洗浄する、衣料の洗浄方法に関する。
【発明の効果】
【００１０】
本発明によれば、衣料に付着した汚れの洗浄力が良好で、且つ透明な外観を有し、衣料に抗菌性能を付与することができる衣料用液体洗浄剤組成物が提供される。
【発明を実施するための形態】
【００１１】
＜（ａ）成分＞
本発明では、（ａ）成分を、（ｂ）成分及び（ｂ１）成分と、それぞれ特定の比率で含有し、且つ特定量の（ｃ）成分と（ｄ）成分と併用することで、外観が透明で衣料に高い抗菌効果を付与できる衣料用液体洗浄剤組成物を得ることが出来る。
【００１２】
（ａ）成分は、下記一般式（ａ）で表される陰イオン界面活性剤である。
Ｒ１ａ−Ｏ−〔（Ａ１Ｏ）ｐ／（ＥＯ）ｑ〕−ＳＯ３Ｍ        （ａ）
〔式中、Ｒ１ａは炭素数８以上２２以下の炭化水素基を示し、Ａ１Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは１以上５以下の数、ｑは０以上１０以下の数である。“／”はＡ１Ｏ基及びＥＯ基が、順不同にブロック又はランダムで結合していることを示す。Ｍは陽イオンである。〕
【００１３】
（ａ）成分の一般式（ａ）中、Ｒ１ａは炭素数８以上２２以下の炭化水素基である。Ｒ１ａは、洗浄力の点で炭素数８以上であり、好ましくは１０以上であり、より好ましくは１２以上であり、そして、（ｂ１）成分と特定の質量比で用いることで、（ｃ）成分による衣料への抗菌性を付与する効果がより高くなる点で、好ましくは１６以下であり、より好ましくは１４以下である。
Ｒ１ａの炭化水素基としては、洗浄力又は衣料への抗菌性を付与する効果がより高くなる点から、アルキル基、アルケニル基が好ましく、アルキル基がより好ましい。Ｒ１ａは、洗浄力や原料の入手性の点から、直鎖の炭化水素基、更に直鎖のアルキル基、更に直鎖の第１級アルキル基が好ましい。Ｒ１ａは、炭素数１２以上１４以下のアルキル基、更に直鎖アルキル基、更に直鎖の第１級アルキル基が好ましい。
【００１４】
一般式（ａ）中のＡ１Ｏは炭素数３のアルキレンオキシ基及び炭素数４のアルキレンオキシ基から選ばれるアルキレンオキシ基としては、オキシトリメチレン基、オキシプロパン−１，２−ジイル基、オキシブタン−１，２−ジイル基、オキシブタン−１，３−ジイル基、オキシブタン−２，３−ジイル基、オキシテトラメチレン基から選ばれる１種以上の基が挙げられる。入手性の点から、オキシプロパン−１，２−ジイル基〔一般的にプロピレンオキシ基と呼ばれることもある。〕及びオキシブタン−１，２−ジイル基（一般的にブチレンオキシ基と呼ばれることもある。）から選ばれる１種以上の基が好ましく、外観がより透明になり易い点でオキシプロパン−１，２−ジイル基がより好ましい。
【００１５】
一般式（ａ）中のｐは、Ａ１Ｏの平均付加モル数であり、１以上５以下の数である。皮脂汚れに対する洗浄力の点又は（ｃ）成分を含有しても、本発明の組成物の外観が透明になりやすい点から、ｐは、好ましくは１．１以上であり、より好ましくは１．２以上であり、より好ましくは１．３以上であり、より好ましくは１．４以上であり、より好ましくは１．５以上であり、より好ましくは１．８以上である。そして、洗浄速度を向上できる点から、ｐは、５以下であり、好ましくは４以下であり、より好ましくは３以下であり、より好ましくは３．０以下であり、より好ましくは２．９以下であり、より好ましくは２．８以下であり、より好ましくは２．５以下である。（ａ）成分は、洗浄性と本発明の組成物の外観が透明になりやすい観点から、一般式（ａ）中のｐが１以上３以下の数の陰イオン界面活性剤が好ましい。
【００１６】
一般式（ａ）中のｑは、ＥＯの平均付加モル数であり、洗浄力の点で０以上１０以下の数である。（ｃ）成分を含有しても組成物の外観が透明になりやすい点から、ｑは、好ましくは０．５以上であり、より好ましくは０．８以上であり、より好ましくは１以上であり、より好ましくは１．５以上であり、より好ましくは１．８以上であり、より好ましくは２以上の数である。そして、衣料への抗菌性を付与する効果の向上の観点から、ｑは、１０以下であり、好ましくは８以下であり、より好ましくは５以下であり、より好ましくは３以下の数である。なお、ｑが０でない場合、Ａ１Ｏ基及びＥＯ基は、Ｒ１ａ−Ｏ−に、順不同にブロック又はランダムに結合している。（ｃ）成分を含有しても本発明の外観が濁りにくい点で、一般式（ａ）中の（Ａ１Ｏ）ｐ基及び（ＥＯ）ｑ基は、Ｒ１ａ−Ｏ−に、順不同ブロックに結合していることが好ましい。すなわち、（ａ）成分が、一般式（ａ）中の（Ａ１Ｏ）ｐ基及び（ＥＯ）ｑ基が、順不同にブロックで結合している陰イオン界面活性剤であることが好ましい。
【００１７】
また、一般式（ａ）中のＭは陽イオンである。Ｍの好ましい例は、水素イオン、アルカリ金属イオン、アルカリ土類金属イオン、アンモニウムイオン、及び炭素数１以上６以下のアルカノールアンモニウムイオンが挙げられる。
アルカリ金属イオンとしては、ナトリウムイオン、カリウムイオン、リチウムイオンが挙げられ、アルカリ土類金属イオンとしては、マグネシウムイオンが挙げられ、炭素数１以上６以下のアルカノールアンモニウムイオンとしては、モノエタノールアンモニウムイオン、トリエタノールアンモニウムイオンが挙げられる。これらの中では、洗浄力の点で、ナトリウムイオン、カリウムイオンのアルカリ金属イオン又はモノエタノールアンモニウムイオンが好ましく、モノエタノールアンモニウムイオンがより好ましい。
【００１８】
（ａ）成分としては、下記一般式（ａ−１）で表される陰イオン界面活性剤〔以下、（ａ１）成分という〕及び一般式（ａ−２）で表される陰イオン界面活性剤〔以下、（ａ２）成分という〕から選ばれる１種以上の陰イオン界面活性剤が挙げられる。
Ｒ２ａ−Ｏ−（Ａ１Ｏ）ｐ１−（ＥＯ）ｑ１−ＳＯ３Ｍ        （ａ−１）
〔式中、Ｒ２ａは炭素数８以上２２以下の炭化水素基を示し、Ａ１Ｏは炭素数３のアルキレンオキシ基及び炭素数４のアルキレンオキシ基から選ばれるアルキレンオキシ基を示し、ＥＯはエチレンオキシ基を示し、ｐ１及びｑ１は平均付加モル数を示し、ｐ１は１以上５以下の数、ｑ１は０以上１０以下の数である。Ｍは陽イオンである。〕
Ｒ２ａ−Ｏ−（ＥＯ）ｑ２−（Ａ１Ｏ）ｐ２−ＳＯ３Ｍ        （ａ−２）
〔式中、Ｒ２ａは炭素数８以上２２以下の炭化水素基を示し、Ａ１Ｏは炭素数３のアルキレンオキシ基及び炭素数４のアルキレンオキシ基から選ばれるアルキレンオキシ基を示し、ＥＯはエチレンオキシ基を示し、ｐ２及びｑ２は平均付加モル数を示し、ｐ２は１以上５以下の数、ｑ２は０．５以上５以下の数である。Ｍは陽イオンである。〕
【００１９】
前記の一般式（ａ−１）で表される（ａ１）成分又は一般式（ａ−２）で表される（ａ２）成分において、Ｒ２ａ、Ａ１Ｏ、ＥＯ及びＭの好ましい態様は、それぞれ、前記の一般式（ａ）で表される（ａ）成分の具体的な記載と同じである。
ｐ１又はｐ２の好ましい態様は、それぞれ、前記の一般式（ａ）で表される（ａ）成分の具体的な記載で示したｐと同じである。
ｑ１又はｑ２の好ましい態様は、それぞれ、前記の一般式（ａ）で表される（ａ）成分の具体的な記載で示したｑと同じである。
【００２０】
一般式（ａ−１）で表される陰イオン界面活性剤の製法は特に限定されない。例えば、炭素数８以上２２の炭化水素基を有するアルコール、好ましくは炭素数１０以上１４以下の直鎖１級の脂肪族飽和アルコール１モルに、炭素数３又は炭素数４のアルキレンオキサイド、好ましくはプロピレンオキサイドを１モル以上、好ましくは１．１モル以上、より好ましくは１．２モル以上、より好ましくは１．３モル以上、より好ましくは１．４モル以上、より好ましくは１．５モル以上、より好ましくは１．８モル以上、そして、５モル以下、好ましくは４モル以下、より好ましくは３モル以下、より好ましくは３．０モル以下、より好ましくは２．９モル以下、より好ましくは２．８モル以下、より好ましくは２．５モル以下の量で付加させた中間化合物（１）を得る。次に中間化合物（１）に対してエチレンオキサイドを０モル以上、好ましくは０．５モル以上、より好ましくは０．８モル以上、より好ましくは１モル以上、より好ましくは１．５モル以上、より好ましくは１．８モル以上、より好ましくは２モル以上、そして、１０モル以下、好ましくは８モル以下、より好ましくは５モル以下、より好ましくは３モル以下の量で付加させて中間化合物（２）を得る。次に中間化合物（２）を硫酸化し、場合によっては中和することで、一般式（ａ−１）で表される陰イオン界面活性剤を得ることができる。
【００２１】
一般式（ａ−２）で表される陰イオン界面活性剤の製法は特に限定されない。例えば、炭素数８以上２２の炭化水素基を有するアルコール、好ましくは炭素数１０以上１４以下の直鎖１級の脂肪族飽和アルコール１モルに、エチレンオキサイドを０．５モル以上、好ましくは０．８モル以上、より好ましくは１モル以上、より好ましくは１．５モル以上、より好ましくは１．８モル以上、そして、５モル以下、好ましくは４モル以下、より好ましくは３モル以下、より好ましくは２．５モル以下の量で付加させて中間化合物（１’）を得る。次いで前記中間化合物（１’）に、炭素数３のアルキレンオキサイド及び／又は炭素数４のアルキレンオキサイド、好ましくはプロピレンオキサイドを１モル以上、好ましくは１．５モル以上、より好ましくは１．８モル以上、そして、５モル以下、好ましくは４モル以下、より好ましくは３モル以下、より好ましくは２．５モル以下の量で付加させた中間化合物（２’）を得る。次に中間化合物（２’）を硫酸化し、場合によっては中和することで、一般式（ａ−２）で表される陰イオン界面活性剤を得ることができる。
【００２２】
＜（ｂ）成分＞
本発明の（ｂ）成分は、下記一般式（ｂ）で表される化合物である。
Ｒ１ｂ−Ｏ−（Ａ２Ｏ）ｍ−Ｈ            （ｂ）
〔式中、Ｒ１ｂは炭素数８以上１８以下の炭化水素基を示し、Ａ２Ｏは炭素数２以上３以下のアルキレンオキシ基を示し、ｍは０以上３０以下の整数である。〕
一般式（ｂ）中、Ｒ１ｂは炭素数８以上１８以下の炭化水素基であり、炭化水素基としてはアルキル基、アルケニル基が挙げられる。Ｒ１ｂの炭素数は、好ましくは１０以上、より好ましくは１１以上、更に好ましくは１２以上、そして、好ましくは１６以下、より好ましくは１４以下である。一般式（ｂ）中、Ａ２Ｏは炭素数２以上３以下のアルキレンオキシ基であり、炭素数２のアルキレンオキシ基が好ましい。一般式（ｂ）中、ｍは付加モル数であり０以上、好ましくは１以上、より好ましくは２以上、そして、３０以下、好ましくは２５以下、好ましくは２１以下、好ましくは１８以下、好ましくは１４以下、より好ましくは１２以下の整数である。本発明においてｍが０の化合物も本発明の（ｂ）成分とする。（ｂ）成分中のｍが０の化合物の割合は、外観をより透明に近づけることが出来る点で、３０質量％以下が好ましく、２５質量％以下がより好ましく、２０質量％以下が更に好ましく、１５質量％以下がより更により好ましい。
【００２３】
本発明の衣料用液体洗浄剤組成物は、（ｂ）成分として下記（ｂ１）成分を含有する。（ｂ１）成分：下記一般式（ｂ１）で表される化合物
Ｒ２ｂ−Ｏ−（ＥＯ）ｎ−Ｈ        （ｂ１）
〔式中、Ｒ２ｂは炭素数８以上１８以下の炭化水素基を示し、ＥＯはエキレンオキシ基を示し、ｎは２以上５以下の整数である。〕
【００２４】
（ｂ）成分及び（ｂ１）成分は非イオン界面活性剤である。本発明の衣料用液体洗浄剤組成物は、（ｂ１）成分を（ａ）成分と特定の比率で含有することで、（ｃ）成分である特定の化合物により、衣料へより高い抗菌性を付与することができる。
また、（ｂ１）成分を含む（ｂ）成分を、特定の構造を有する（ａ）成分と併用することで、より広い範囲の非イオン界面活性剤において、（ｃ）成分による衣料への抗菌性を付与する効果をより高める作用が発現する。すなわち、（ｂ）成分として、例えば炭素数１２以外の直鎖第１級の炭化水素基を有する非イオン界面活性剤、直鎖の第２級炭化水素基を有する非イオン界面活性剤、分岐鎖の第１級炭化水素基を有する非イオン界面活性剤を用いても、（ｃ）成分による衣料への抗菌性を付与する効果をより高めることができる。
更には、（ｂ１）成分を含む（ｂ）成分を所定条件で用いることで、組成物の外観をより透明にすることができる。
【００２５】
（ｂ１）成分の一般式（ｂ１）中、Ｒ２ｂは炭素数８以上１８以下の炭化水素基である。Ｒ２ｂは、洗浄力の向上又は（ｃ）成分による衣料への抗菌性を付与する効果をより高くできる点から、好ましくは炭素数１０以上、より好ましくは１１以上、そして、組成物の外観をより透明に出来る点から、好ましくは炭素数１６以下、より好ましくは１４以下の炭化水素基である。Ｒ２ｂの炭化水素基としては、洗浄力の向上の点から、アルキル基、アルケニル基が好ましく、アルキル基がより好ましい。Ｒ２ｂは、洗浄力の点から、直鎖又は分岐鎖の炭化水素基が好ましく、直鎖の炭化水素基がより好ましい。洗浄力の向上の点から、Ｒ２ｂは、直鎖の炭化水素基は、直鎖の第１級の炭化水素基が好ましい。また、低温における水への溶解性を向上できる観点から、Ｒ２ｂは、分岐鎖の第１級の炭化水素基及び直鎖の第２級炭化水素基から選ばれる基が好ましい。洗浄力の向上の点から、Ｒ２ｂは、炭素数１０以上１６以下の直鎖の第１級のアルキル基が好ましい。
【００２６】
一般式（ｂ）の化合物を得る方法は、特に限定されるものではないが、炭素数８以上１８以下の炭化水素基を有するアルコールに、エチレンオキシドを付加反応することによって得ることができる。
すなわち、（ｂ）成分として、炭素数８以上１８以下の炭化水素基を疎水基として含む化合物に、エチレンオキシド等のアルキレンオキシドを付加反応させて得られた非イオン界面活性が挙げられる。この場合、得られた非イオン界面活性剤は、一般式（ｂ）の構造を有する化合物の複数からなり、通常、一般式（ｂ）中のｍが０以上３０以下の化合物を複数含む。
このようにして得られた非イオン界面活性剤が、（ｂ１）成分に該当する化合物を含む場合は、そのまま（ｂ１）成分を含む（ｂ）成分として用いることができる。また、化合物の分布を調整して本発明の条件を満たすように（ｂ１）成分の量を調整して（ｂ）成分として用いることもできる。
また、（ｂ）成分は（ｂ１）成分からなることができる。例えば、本発明の衣料用液体洗浄剤組成物に含まれる（ｂ）成分は、単一の化合物の（ｂ１）成分であっても良く、複数の化合物の（ｂ１）成分の混合物であっても良い。
（ｂ）成分は、一般式（ｂ）で表される２種以上の化合物であることが好ましい。
（ｂ１）成分は、一般式（ｂ１）で表される２種以上の化合物であることが好ましい。
【００２７】
（ａ）成分と特定の質量比で併用することで、（ｃ）成分による衣料への抗菌性を付与する効果がより高まる観点から、（ｂ１）成分として、一般式（ｂ１）中のＲ２ｂが炭素数１０以上１４以下の直鎖の第１級又は第２級のアルキル基であり、ｍが２以上５以下の整数である化合物を含有することが好ましい。
【００２８】
（ｂ）成分が、炭素数８以上１８以下の炭化水素基を有するアルコールにエチレンオキシドを付加反応して得られた非イオン界面活性剤である場合、該（ｂ）成分中の（ｂ１）成分の含有量は、下記の液体クロマトグラフィーによる測定よって求めることが出来る。
クロマトグラフ：ＨＩＴＡＣＨＩ  ＥＬＩＴＥ  Ｌａ  Ｃｈｒｏｍ  Ｓｈｏｄｅｘ  ＲＩ−７１
検出器：ＲＩ
カラム：Ｌ−ｃｏｌｕｍｎＯＤＳ（長さ：２５０ｍｍ、内径：４．６ｍｍ）
カラム温度：２５℃、溶離液：アセトニトリル６５質量％水溶液、流量：１．０ｍＬ／ｍｉｎ、サンプル注入量：２０μＬ、サンプルの希釈溶媒：メタノール
【００２９】
＜（ｃ）成分＞
本発明の（ｃ）成分は、下記一般式（ｃ）で表される化合物である。
【００３０】
【化２】
0006758804.tif 000003
【００３１】
〔式中、Ｒ１ｃは、炭素数８以上１６以下の炭化水素基であり、Ｒ２ｃ、Ｒ３ｃ、Ｒ４ｃは、それぞれ、炭素数８以上１０以下の炭化水素基、炭素数１以上３以下のアルキル基、炭素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数であり、Ｘ−は、ハロゲンイオン、及び炭素数１以上３以下のアルキル硫酸イオンから選ばれる陰イオンである。但し、Ｒ１ｃが炭素数１２以上１６以下の炭化水素基である場合には、Ｒ２ｃは、炭素数１以上３以下のアルキル基、炭素数１以上３以下のヒドロキシアルキル基、−（Ａ３Ｏ）ｋ−Ｈ、又はベンジル基から選ばれる基であり、Ｒ１ｃが炭素数８以上１１以下の炭化水素基である場合には、Ｒ２ｃは炭素数８以上１１以下の炭化水素基である。〕
【００３２】
（ｃ）成分としては、下記一般式（ｃ−１）で表される化合物〔以下、（ｃ１）成分という〕及び一般式（ｃ−２）で表される化合物〔以下、（ｃ２）成分という〕から選ばれる１種以上の化合物が挙げられる。
【００３３】
【化３】
0006758804.tif 000004
【００３４】
〔式中、Ｒ１１ｃは、炭素数１２以上１６以下の炭化水素基であり、Ｒ１２ｃ、Ｒ１３ｃ、Ｒ１４ｃは、それぞれ、炭素数１以上３以下のアルキル基、炭素素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数であり、Ｘ−は、ハロゲンイオン、及び炭素数１以上３以下のアルキル硫酸イオンから選ばれる陰イオンである。〕
【００３５】
【化４】
0006758804.tif 000005
【００３６】
〔式中、Ｒ２１ｃ、Ｒ２２ｃは、それぞれ、炭素数８以上１０以下の炭化水素基であり、Ｒ２３ｃ、Ｒ２４ｃは、それぞれ、炭素数１以上３以下のアルキル基、炭素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数であり、Ｘ−は、ハロゲンイオン、及び炭素数１以上３以下のアルキル硫酸イオンから選ばれる陰イオンである。〕
【００３７】
（ｃ１）成分の一般式（ｃ−１）中、Ｒ１１ｃは、炭素数１２以上１６以下の炭化水素基であり、衣料への抗菌性を付与する効果がより高くなる点で、Ｒ１１ｃの炭素数は１３以上が好ましく、１４以上がより好ましく、１５以上が更に好ましく、１６がより更に好ましい。本発明の衣料用液体洗浄剤組成物の外観がより透明になりやすい点で、Ｒ１１ｃの炭素数は１５以下が好ましく、１４以下がより好ましく、１３以下が更に好ましく、１２が更に好ましい。Ｒ１１ｃの炭化水素基としては、アルキル基、アルケニル基が挙げられ、好ましくはアルキル基である。Ｒ１１ｃの炭化水素基の具体例は、ドデシル基、トリデシル基、テトラデシル基、ペンタデシル基、ヘキサデシル基が挙げられる。
【００３８】
一般式（ｃ−１）中、Ｒ１２ｃ、Ｒ１３ｃ、Ｒ１４ｃは、それぞれ独立に、炭素数１以上３以下のアルキル基、炭素数１以上３以下のヒドロキシアルキル基、又はベンジル基から選ばれる基である。炭素数１以上３以下のアルキル基の具体例はメチル基、エチル基、プロピル基が挙げられる。炭素数１以上３以下のヒドロキシアルキル基の具体例は、ヒドロキシメチル基、ヒドロキシエチル基、ヒドロキシプロピル基が挙げられる。
【００３９】
一般式（ｃ−１）中、Ｘ−は、ハロゲンイオン、及び炭素数１以上３以下のアルキル硫酸イオンから選ばれる陰イオンである。ハロゲンイオンの具体例はクロルイオン、ブロモイオンであり、衣料の黄変抑制の点からクロルイオンが好ましい。炭素数１以上３以下のアルキル硫酸イオンの具体例としては、メチル硫酸イオン、エチル硫酸イオン、プロピル硫酸イオンが挙げられる。製造の容易性の点から、メチル硫酸イオン、エチル硫酸イオンが好ましい。
【００４０】
より好ましい具体的な（ｃ１）成分として、下記の（ｃ１−１）〜（ｃ１−４）から選ばれる１種以上の化合物が挙げられる。
（ｃ１−１）：前記一般式（ｃ−１）中、Ｒ１１ｃが、炭素数１２以上１６以下の炭化水素基であり、Ｒ１２ｃ、Ｒ１３ｃ、Ｒ１４ｃが、それぞれ、炭素数１以上３以下のアルキル基であり、Ｘ−が、ハロゲンイオン、及び炭素数１以上３以下のアルキル硫酸イオンから選ばれる陰イオンである化合物。
（ｃ１−１）の更に具体的な化合物は、Ｎ−ドデシル−Ｎ，Ｎ，Ｎ−トリメチルアンモニウム塩、Ｎ−テトラデシル−Ｎ，Ｎ，Ｎ−トリメチルアンモニウム塩、及びＮ−ヘキサデシル−Ｎ，Ｎ，Ｎ−トリメチルアンモニウム塩から選ばれる１種以上の化合物である。これらの塩としてはクロル塩、メチル硫酸塩、又はエチル硫酸塩が好ましい。
【００４１】
（ｃ１−２）：前記一般式（ｃ−１）中、Ｒ１１ｃが、炭素数１２以上１６以下の炭化水素基であり、Ｒ１２ｃ、Ｒ１３ｃが、それぞれ、炭素数１以上３以下のアルキル基であり、Ｒ１４ｃが、炭素数１以上３以下のヒドロキシアルキル基であり、Ｘ−が、ハロゲンイオン、及び炭素数１以上３以下のアルキル硫酸イオンから選ばれる陰イオンである化合物。
（ｃ１−２）の更に具体的な化合物は、Ｎ−ドデシル−Ｎ−ヒドロキシエチル−Ｎ，Ｎ−ジメチルアンモニウム塩、Ｎ−テトラデシル−Ｎ−ヒドロキシエチル−Ｎ，Ｎ−ジメチルアンモニウム塩、及びＮ−ヘキサデシル−Ｎ−ヒドロキシエチル−Ｎ，Ｎ−ジメチルアンモニウム塩から選ばれる１種以上の化合物である。これらの塩としてはクロル塩、メチル硫酸塩、又はエチル硫酸塩が好ましい。
【００４２】
（ｃ１−３）：前記一般式（ｃ−１）中、Ｒ１１ｃが、炭素数１２以上１６以下の炭化水素基であり、Ｒ１２ｃ、Ｒ１３ｃが、それぞれ、炭素数１以上３以下のアルキル基であり、Ｒ１４ｃが、ベンジル基であり、Ｘ−は、ハロゲンイオン、及び炭素数１以上３以下のアルキル硫酸イオンから選ばれる陰イオンである化合物。
（ｃ１−３）更に具体的な化合物は、Ｎ−ドデシル−Ｎ，Ｎ−ジメチル−Ｎ−ベンジルアンモニウム塩、Ｎ−テトラデシル−Ｎ，Ｎ−ジメチル−Ｎ−ベンジルアンモニウム塩、及びＮ−ヘキサデシル−Ｎ，Ｎ−ジメチル−Ｎ−ベンジルアンモニウム塩から選ばれる１種以上の化合物である。これらの塩としてはクロル塩、メチル硫酸塩、又はエチル硫酸塩が好ましい。
【００４３】
（ｃ１−４）：前記一般式（ｃ−１）中、Ｒ１１ｃが、炭素数１２以上１６以下の炭化水素基であり、Ｒ１２ｃ、Ｒ１３ｃが、それぞれ、炭素数１以上３以下のアルキル基であり、Ｒ１４ｃが、−（Ａ３Ｏ）ｋ−Ｈであり、Ａ３Ｏはエチレンオキシ基又はプロピレンオキシ基であり、ｋは１以上５以下の数であり、Ｘ−が、ハロゲンイオン、及び炭素数１以上３以下のアルキル硫酸イオンから選ばれる陰イオンである化合物。
【００４４】
（ｃ２）成分の一般式（ｃ−２）中、Ｒ２１ｃ、Ｒ２２ｃは、衣料への抗菌性を付与する効果をより高める点で、それぞれ、炭素数９以上が好ましく、１０がより好ましい。Ｒ２１ｃ、Ｒ２２ｃの具体例は、それぞれ独立に、オクチル基、ノニル基、デシル基であり、衣料への抗菌性を付与する効果をより高める点で、ノニル基、デシル基が好ましく、デシル基が更に好ましい。Ｒ２３ｃ、Ｒ２４ｃは、それぞれ独立に、炭素数１以上３以下のアルキル基、炭素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数である。炭素数１以上３以下のアルキル基の具体例はメチル基、エチル基、プロピル基が挙げられる。炭素数１以上３以下のヒドロキシアルキル基の具体例は、ヒドロキシメチル基、ヒドロキシエチル基、ヒドロキシプロピル基が挙げられる。
【００４５】
（ｃ２）成分のより具体的な化合物は、Ｎ，Ｎ−ジオクチル−Ｎ，Ｎ−ジメチルアンモニウム塩、Ｎ，Ｎ−ジノニル−Ｎ，Ｎ−ジメチルアンモニウム塩、Ｎ，Ｎ−ジデシル−Ｎ，Ｎ−ジメチルアンモニウム塩、Ｎ，Ｎ−ジオクチル−Ｎ−エチル−Ｎ−メチルアンモニウム塩、Ｎ，Ｎ−ジノニル−Ｎ−エチル−Ｎ−メチルアンモニウム塩、及びＮ，Ｎ−ジデシル−Ｎ−エチル−Ｎ−メチルアンモニウム塩から選ばれる１種以上の化合物が挙げられる。これらの塩としてはクロルイオン、メチル硫酸イオン、エチル硫酸イオンが挙げられる。
衣料に抗菌性を付与する効果が高い点で、（ｃ２）成分は、Ｎ，Ｎ−ジデシル−Ｎ，Ｎ−ジメチルアンモニウム塩、及びＮ，Ｎ−ジデシル−Ｎ−エチル−Ｎ−メチルアンモニウム塩から選ばれる１種以上の化合物が好ましい。これらの塩としてはクロルイオン、メチル硫酸イオン、又はエチル硫酸イオンが好ましい。
【００４６】
＜（ｄ）成分＞
本発明の（ｄ）成分は、炭素数４以上１２以下であり、２価以上４価以下のカルボン酸又はその塩である。より具体的には下記の（ｄ１）成分及び（ｄ２）成分から選ばれる１種以上の化合物が挙げられる。下記の（ｄ１）成分から選ばれる１種以上の化合物が好ましい。
（ｄ１）成分：アミノ基を含まない、炭素数４以上１０以下の、２価又は３価のカルボン酸又はその塩
（ｄ１）成分として、具体的にはクエン酸、酒石酸、コハク酸及びリンゴ酸から選ばれる１種以上のカルボン酸又はその塩が挙げられる。衣料への抗菌性を付与する効果をより高くできる点で、クエン酸又はその塩が好ましい。
（ｄ２）成分：アミノ基を含み、炭素数４以上１０以下の、２価以上４価以下のカルボン酸又はその塩
（ｄ２）成分として、具体的には、ニトリロトリ酢酸、エチレンジアミン四酢酸、３−ヒドロキシ−２，２’−イミノジコハク酸、ジエチレントリアミン五酢酸及びヒドロキシメチルエチレンジアミン三酢酸から選ばれる１種以上のカルボン酸又はその塩が挙げられる。
【００４７】
＜（ｅ）成分＞
本発明の（ａ）成分、（ｂ）成分、（ｂ１）成分、（ｃ）成分、（ｄ）成分及び水を含有する衣料用液体洗浄剤組成物の外観をより透明に近づける点で、（ｅ）成分として、水酸基を１つ以上有する有機溶剤を更に含有する。
水酸基を１つ以上有する有機溶剤としては、以下の（ｅ１）成分〜（ｅ６）成分から選ばれる１種以上の化合物が用いられる。
（ｅ１）成分：炭素数２以上６以下の脂肪族炭化水素基を有する１価のアルコール
（ｅ１）成分として、例えばエタノール、１−プロパノール、２−プロパノール及び１−ブタノールから選ばれる１価のアルコールが挙げられる。
（ｅ２）成分：炭素数２以上６以下の２価以上６価以下のアルコール
（ｅ２）成分として、例えばエチレングリコール、プロピレングリコール、ブチレングリコール、２−メチル−２，４−ペンタンジオール、１，５−ペンタンジオール、１，６−ヘキサンジオール及びグリセリンから選ばれる２価又は３価のアルコールが挙げられる。２−メチル−２，４−ペンタンジオールは、ヘキシレングリコールとも称される。
（ｅ３）成分：炭素数２以上４以下のアルキレングリコール単位を含有するポリアルキレングリコール
（ｅ３）成分として、例えばジエチレングリコール、トリエチレングリコール、テトラエチレングリコール、ジプロピレングリコール、トリプロピレングリコール、重量平均分子量４００以上４０００以下のポリエチレングリコール及び重量平均分子量４００以上４０００以下のポリプロピレングリコールから選ばれるポリアルキレングリコールが挙げられる。
（ｅ４）成分：炭素数２以上４以下のアルキレングリコール単位と、炭素数１以上４以下のアルキル基とを有する、（モノ又はポリ）アルキレングリコールのモノアルキルエーテル
（ｅ４）成分として、例えばジエチレングリコールモノメチルエーテル、トリエチレングリコールモノメチルエーテル、ジエチレングリコールモノエチルエーテル、ジプロピレングリコールモノメチルエーテル、ジプロピレングリコールモノエチルエーテル、トリプロピレングリコールモノメチルエーテル、ジエチレングリコールモノブチルエーテル、１−メトキシ−２−プロパノール及び１−エトキシ−２−プロパノールから選ばれる化合物が挙げられる。
（ｅ５）成分：炭素数１以上８以下のアルキルを有するアルキルグリセリルエーテル
（ｅ５）成分として、例えば１−メチルグリセリルエーテル、２−メチルグリセリルエーテル、１，３−ジメチルグリセリルエーテル、１−エチルグリセリルエーテル、１，３−ジエチルグリセリルエーテル、トリエチルグリセリルエーテル、１−ペンチルグリセリルエーテル、２−ペンチルグリセリルエーテル、１−オクチルグリセリルエーテル及び２−エチルヘキシルグリセリルエーテルから選ばれるアルキルグリセリルエーテルが挙げられる。
（ｅ６）成分：炭素数２又は３のアルキレングリコール単位を有する（モノ又はポリ）アルキレングリコールの芳香族アルキルエーテル、
（ｅ６）成分として、例えば２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール及びジエチレングリコールモノベンジルエーテルから選ばれる化合物
【００４８】
前記（ｅ４）成分、（ｅ６）成分において「（モノ又はポリ）アルキレングリコール」なる用語は、モノアルキレングリコール又はポリアルキレングリコールを意味する。また、「ポリアルキレングリコール」とは、アルキレングリコール単位が２個以上９個以下の量で含有することを意味する。
【００４９】
（ｅ）成分は、本発明の組成物の外観をより透明に近づけることができる点で、（ｅ１）成分、（ｅ２）成分、（ｅ４）成分、及び（ｅ６）成分から選ばれる１種以上、更に２種以上の化合物が好ましい。本発明の衣料用液体洗浄剤組成物は、（ｅ）成分として、（ｅ２）成分から選ばれる１種以上の化合物と、（ｅ４）成分から選ばれる１種以上とを含有することが好ましい。より具体的には、本発明の衣料用液体洗浄剤組成物は、プロピレングリコール、ジエチレングリコールモノブチルエーテル、２−フェノキシエタノール、ジエチレングリコールモノフェニルエーテル及びトリエチレングリコールモノフェニルエーテルから選ばれる１種以上、更に２種以上の化合物を含有することが好ましい。本発明の衣料用液体洗浄剤組成物は、（ｅ）成分として、プロピレングリコール及びジエチレングリコールモノブチルエーテルから選ばれる１種以上の有機溶剤を含有することが好ましく、プロピレングリコール及びジエチレングリコールモノブチルエーテルを含有することがより好ましい。
【００５０】
＜水＞
本発明の衣料用液体洗浄剤組成物は、４℃〜４０℃における状態を液体状態とする為に、水を含有する。水は脱イオン水（イオン交換水とも言う場合もある）や次亜塩素酸ソーダをイオン交換水に対して１ｍｇ／ｋｇ以上５ｍｇ／ｋｇ以下、添加した水を使用することが出来る。また、水道水も使用できる。
【００５１】
＜衣料用液体洗浄剤組成物＞
本発明の衣料用液体洗浄剤組成物は、（ａ）成分、（ｂ）成分、（ｃ）成分、（ｄ）成分、（ｅ）成分、及び水、並びに任意成分を含有する。以下、質量％は、特記しない限り、衣料用液体洗浄剤組成物の質量を基準とするものである。
【００５２】
本発明の衣料用液体洗浄剤組成物は、（ａ）成分を２０質量％以上６０質量％以下含有する。（ａ）成分の含有量は、衣料に付着した汚れの洗浄性の向上の点で、２５質量％以上が好ましく、３０質量％以上がより好ましい。そして、（ａ）成分の含有量は、衣料への抗菌性を付与する効果がより向上する点で、５５質量％以下が好ましく、５０質量％以下がより好ましく、４５質量％以下が更に好ましく、４０質量％以下が更により好ましい。
なお、本発明において、（ａ）成分の含有量は、酸型化合物、すなわち一般式（ａ）中のＭが水素イオンである化合物に換算した含有量である。
【００５３】
本発明の衣料用液体洗浄剤組成物は、（ｂ）成分の含有量と（ａ）成分の含有量との質量比が、（ｂ）成分／（ａ）成分で、０．２以上１．６以下である。衣料への抗菌性を付与する効果を高める点で、（ｂ）成分／（ａ）成分の質量比は、０．２５以上が好ましく、０．３以上がより好ましく、０．３５以上が更に好ましく、０．４以上が更により好ましく、０．４５以上が更により好ましく、０．５以上が更により好ましい。そして、本発明の衣料用液体洗浄剤組成物の外観をより透明に近づける点で、１．５以下が好ましく、１．４以下がより好ましく、１．３以下がより好ましく、１．２以下がより好ましく、１．１以下が更に好ましく、１．０以下が更により好ましい。
【００５４】
本発明の衣料用液体洗浄剤組成物は、（ｂ１）成分の含有量と（ａ）成分との含有量との質量比が、（ｂ１）成分／（ａ）成分で、０．０７以上１．６以下である。（ｂ１）成分／（ａ）成分の質量比は、衣料への抗菌性を付与する効果を高める点で、０．０８以上が好ましく、０．０９以上がより好ましく、０．１０以上がより好ましく、０．１１以上がより好ましく、０．１２以上がより好ましく、０．１３以上がより好ましく、０．１４以上がより好ましく、０．１５以上がより好ましく、０．１８以上がより好ましく、０．２０以上がより好ましく、０．２５以上がより好ましく、０．３以上がより好ましく、０．４以上がより好ましく、０．４５以上がより好ましく、０．５以上がより好ましく、０．５５以上がより好ましい。そして、本発明の衣料用液体洗浄剤組成物の外観をより透明に近づける点で、１．５以下が好ましく、１．４以下がより好ましく、１．３以下がより好ましく、１．２以下がより好ましく、１．１以下が更に好ましく、１．０以下が更により好ましい。
【００５５】
本発明の衣料用液体洗浄剤組成物は、（ｂ１）成分の含有量と（ｂ）成分との含有量との質量比が、（ｂ１）成分／（ｂ）成分で、０．２以上１以下である。（ｂ１）成分／（ｂ）成分の質量比は、衣料への抗菌性を付与する効果を高める点で０．２５以上が好ましく、０．３０以上がより好ましく、０．３５以上がより好ましく、０．４０以上がより好ましい。そして、衣料に付着した汚れの洗浄性の向上の点から、０．９５以下が好ましく、０．９０以下がより好ましく、０．８以下が更に好ましく、０．７以下がより更に好ましい。
【００５６】
本発明の衣料用液体洗浄剤組成物は、（ｃ）成分を０．５質量％以上５質量％以下含有する。（ｃ）成分の含有量は、衣料により高い抗菌性を付与できる点から、０．６質量％以上が好ましく、０．７質量％以上がより好ましく、０．８質量％以上がより好ましく、１．０質量％以上がより好ましく、１．３質量％以上がより好ましく、１．５質量％以上がより好ましく、１．７質量％以上がより好ましく、２．０質量％以上がより好ましい。そして、（ｃ）成分の含有量は、衣料用液体洗浄剤組成物の外観がより透明に近づく点で、４．５質量％以下が好ましく、４．０質量％以下がより好ましく、３．５質量％以下が更に好ましく、３．０質量％以下が更により好ましい。本発明において、衣料用液体洗浄剤組成物中で（ｃ）成分が、対イオンである陰イオン（Ｘ−）が組成物中に含まれる他の陰イオンとイオン交換した化合物となって存在していたとしても、（ｃ）成分の含有量は当該組成物の調製に用いた（ｃ）成分の配合量と同義とみなす。
【００５７】
本発明の衣料用液体洗浄剤組成物は、（ｄ）成分を０．５質量％以上５質量％以下含有する。（ｄ）成分の含有量は、衣料に高い抗菌性を付与できる点から、０．６質量％以上が好ましく、０．７質量％以上がより好ましく、０．８質量％以上がより好ましく、１．０質量％以上がより好ましく、１．３質量％以上がより好ましく、１．５質量％以上がより好ましい。そして、（ｄ）成分の含有量は、衣料用液体洗浄剤組成物の外観がより透明に近づく点で、４．５質量％以下が好ましく、４．０質量％以下がより好ましく、３．５質量％以下が更に好ましく、３．０質量％以下が更により好ましい。
【００５８】
本発明の衣料用液体洗浄剤組成物は、（ｅ）成分を５質量％以上４０質量％以下含有する。（ｅ）成分の含有量は、本発明の衣料用液体洗浄剤組成物の外観をより透明にできる点から、６質量％以上が好ましく、７質量％以上がより好ましく、１０質量％以上が更に好ましい。そして、（ｅ）成分の含有量は、経済性の点から、３５質量％以下が好ましく、３０質量％以下がより好ましく、２５質量％以下が更に好ましい。
【００５９】
水の含有量は、（ａ）成分、（ｂ）成分、（ｃ）成分、（ｄ）成分、（ｅ）成分及び後述する任意成分を除く残部である。
【００６０】
＜任意成分＞
本発明の衣料用液体洗浄剤組成物は、更に（ｆ）成分として、炭素数１２以上１６以下の脂肪酸又はその塩を含有することが好ましい。（ｆ）成分は、洗浄後のすすぎ性向上の観点で好ましい成分である。（ｆ）成分としては、ラウリン酸、ミリスチン酸、及びパルミチン酸から選ばれる１種以上の脂肪酸又はその塩が挙げられる。本発明の衣料用液体洗浄剤組成物は、（ｆ）成分として、炭素数１２の脂肪酸又はその塩〔以下、（ｆ１）成分という〕と炭素数１４以上１６以下の脂肪酸又はその塩〔以下、（ｆ２）成分という〕とを含有することが、洗浄後のすすぎ性向上の観点から、好ましい。（ｆ１）成分の含有量と（ｆ２）成分の含有量の質量比は、（ｆ１）成分／（ｆ２）成分で、好ましくは０．５以上、より好ましくは０．８以上、そして、好ましくは１０以下、より好ましくは５以下である。（ｆ）成分の含有量は、好ましくは１質量％以上、より好ましくは１．５質量％以上、そして、好ましくは２．５質量％以下、より好ましくは２．２質量％以下である。
【００６１】
本発明の衣料用液体洗浄剤組成物は、（ｇ）成分として、（ａ）成分、（ｂ）成分、（ｃ）成分以外の界面活性剤を含有することができる。
（ｇ）成分としては、（ａ）成分以外の陰イオン界面活性剤〔以下、（ｇ１）成分という〕が挙げられる。（ｇ１）成分としては、炭素数８以上２２以下の脂肪族アルキル基を有するアルキルベンゼンスルホン酸、炭素数８以上２２以下の脂肪酸、アルカンの炭素数が８以上２０以下であるアルカンスルホン酸、炭素数８以上２２以下の脂肪族アルキル基を有するアルキル硫酸エステル及びポリオキシアルキレンアルキルエーテル硫酸エステル、及びこれらの塩が挙げられる。好ましい（ｇ１）成分は、炭素数１２以上１６以下の脂肪族アルキル基を有するアルキルベンゼンスルホン酸、炭素数１２以上１８以下の脂肪酸、及びこれらの塩である。（ｇ１）成分の塩としては、アルカリ金属塩、アルカリ土類金属塩、アンモニウム塩、及び炭素数１以上６以下のアルカノールアミン塩が挙げられる。塩としては、ナトリウム塩、カリウム塩、モノエタノールアンモニウム塩、及びトリエタノールアンモニウム塩から選ばれる１種以上の塩が好ましい。
【００６２】
また、（ｇ）成分として、本発明の目的を阻害しない範囲で（ｃ）成分以外の陽イオン界面活性剤を含有しても良い。陽イオン界面活性剤としては、アミンで配合し水中のｐＨにより陽イオン界面活性剤となりえる化合物も便宜的に陽イオン界面活性剤と表す。具体的には炭素数１１以上２２以下の脂肪族アルキル基を有する第３級アミン塩、例えば、アルカノイルアミノプロピル−Ｎ，Ｎ−ジメチルアミン〔アルカノイルは炭素数１１以上２１以下の脂肪族アルカノイル基を意味する。〕から選ばれる１種以上の化合物が好ましい。
【００６３】
また、（ｇ）成分として、両性界面活性剤を配合しても良い。両性界面活性剤としては、例えば、炭素数１０以上１８以下のアルキル基を有するスルホベタイン又はカルボベタインを挙げることができる。
【００６４】
（ｇ）成分の含有量は、本発明の衣料用液体洗浄剤組成物の全配合原料の合計に対して、好ましくは０．５質量％以上１５質量％以下、より好ましくは０．５質量％以上１０質量％以下である。また３級アミンについては、窒素原子に結合する基のうち、有機基以外を水素原子に置換した構造の質量を該３級アミンの質量とする。（ｇ）成分として、（ｃ）成分以外の陽イオン界面活性剤を配合する場合は、皮脂汚れの洗浄性能の観点から、５質量％以下が好ましい。５質量％以下の量で配合するとは、配合しないか、又は０質量％を超え、５質量％以下の量で配合することを意味する。好ましくは３質量％以下であり、より好ましくは１質量％以下であり、（ｃ）成分以外の陽イオン界面活性剤を配合しないことがより好ましい。
【００６５】
本発明の衣料用液体洗浄剤組成物には、アルカリ剤〔以下、（ｈ）成分という〕を配合することが洗浄力の点から好ましい。アルカリ剤は、アルカリ金属水酸化物、アルカリ金属炭酸塩などの他に、窒素原子に結合する基のうち、１つ以上３つ以下が炭素数２以上４以下のアルカノール基であり、残りが炭素数１以上４以下のアルキル基又は水素原子であるアルカノールアミンを挙げることができる。このうちアルカノール基はヒドロキシアルキル基、更にヒドロキシエチル基であるものが好ましい。アルカノール基以外は水素原子、又はメチル基が好ましく、水素原子がより好ましい。アルカノールアミンとしては、２−アミノエタノール、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、トリエタノールアミン等のアルカノールアミン類が挙げられる。本発明では、（ｈ）成分として、モノエタノールアミン及びトリエタノールアミンから選ばれるアルカノールアミンが好ましく、モノエタノールアミンがより好ましい。
また、（ｈ）成分であるアルカリ剤は本発明の衣料用液体洗浄剤組成物のｐＨを所定の値に調整する為にも用いることが出来る。
本発明の衣料用液体洗浄剤組成物では、（ｈ）成分を、後述するｐＨになるような量で配合しても良い。具体的には、（ｈ）成分を、０．０１質量％以上、更に０．５質量％以上、そして、１０質量％以下、更に８質量％以下、配合しても良い。なかでも、（ｈ）成分としてアルカノールアミンを、０．５質量％以上、更に１質量％以上、更に３質量％以上、そして、８質量％以下、更に７質量％以下、更に６質量％以下配合することが好ましい。なお、本発明では、（ｈ）成分のアルカリ剤、中でもアルカノールアミンの含有量には、（ａ）成分や（ｇ１）成分の対イオンなど、他の成分に由来して組成物中に配合される分も算入するものとする。
【００６６】
本発明の衣料用液体洗浄剤組成物には、キレート剤〔以下、（ｉ）成分という〕を配合しても良い。（ｉ）成分からは、（ｄ）成分は除かれる。（ｉ）成分のキレート剤の具体例として、１−ヒドロキシエチリデン−１，１−ジホスホン酸、ジエチレントリアミンペンタ（メチレンホスホン酸）、これらのアルカリ金属又は低級アミン塩等が挙げられる。（ｉ）成分の含有量は、酸型とみなした場合に０．１質量％以上５質量％以下であり、好ましくは０．１質量％以上４質量％以下、より好ましくは０．１質量％以上３質量％以下である。
【００６７】
この他に、本発明の衣料用液体洗浄剤組成物には、下記（ｊ１）〜（ｊ７）成分を配合しても良い。
（ｊ１）ポリアクリル酸、ポリマレイン酸、カルボキシメチルセルロースなどの再汚染防止剤及び分散剤を０．０１質量％以上１０質量％以下
（ｊ２）過酸化水素、過炭酸ナトリウム又は過硼酸ナトリウム等の漂白剤を０．０１質量％以上１０質量％以下
（ｊ３）テトラアセチルエチレンジアミン、特開平６−３１６７００号の一般式（Ｉ−２）〜（Ｉ−７）で表される漂白活性化剤等の漂白活性化剤を０．０１質量％以上１０質量％以下、
（ｊ４）セルラーゼ、アミラーゼ、ペクチナーゼ、プロテアーゼ及びリパーゼから選ばれる１種以上の酵素、好ましくはアミラーゼ及びプロテアーゼから選ばれる１種以上の酵素０．００１質量％以上、好ましくは０．０１質量％以上、より好ましくは０．１質量％以上、より好ましくは０．３質量％以上、そして２質量％以下、好ましくは１質量％以下。（ｊ４）成分としては、より速い洗浄速度が得られる点でアミラーゼを含む酵素が好ましい。皮脂汚れが付着した衣料上に、ミートソースなどの食べこぼし汚れが付着した汚れに対して、より高い洗浄性が得られる点でアミラーゼ及びプロテアーゼを含む酵素であることが好ましい。
（ｊ５）蛍光染料、例えばチノパールＣＢＳ（商品名、チバスペシャリティケミカルズ製）やホワイテックスＳＡ（商品名、住友化学社製）として市販されている蛍光染料を０．００１質量％以上１質量％以下
（ｊ６）ブチルヒドロキシトルエン、ジスチレン化クレゾール、亜硫酸ナトリウム及び亜硫酸水素ナトリウム等の酸化防止剤を０．０１質量％以上２質量％以下
（ｊ７）色素、香料、抗菌防腐剤、シリコーン等の消泡剤を適量。
【００６８】
本発明の衣料用液体洗浄剤組成物の２０℃のｐＨは、優れた洗浄性能を得る点で、６以上、更に６．５以上、更に７以上が好ましく、そして、１１以下、更に９以下、更に８以下が好ましい。ｐＨは、実施例に記載の方法で測定し、その際、温度は記載の２０℃で測定する。洗浄性能と本発明の衣料用液体洗浄剤組成物の取扱いのし易さの点から、前記の方法で測定したｐＨは、６以上９以下が好ましく、６．５以上８以下がより好ましい。
【００６９】
本発明の衣料用液体洗浄剤組成物の２０℃における粘度は、取り扱いの容易さの点で、１０ｍＰａ・ｓ以上が好ましく、そして、５００ｍＰａ・ｓ以下、更に４００ｍＰａ・ｓ以下、更に３００ｍＰａ・ｓ以下が好ましい。（ｃ）成分によりこのような範囲になるように調整することが好ましい。本発明において粘度はＢ型粘度計により測定する。ローターは粘度に合ったものを選択する。回転数６０ｒ／ｍｉｎで回転し、回転開始から６０秒後の粘度を液体洗浄剤組成物又は希釈液の粘度とする。粘度の測定温度（液温）は、それぞれの目的に合わせて選定する。
【００７０】
本発明の衣料用液体洗浄剤組成物は、（ａ）成分、（ｂ１）成分を含む（ｂ）成分、（ｃ）成分、（ｄ）成分、（ｅ）成分、及び水を混合することで製造できる。その際、衣料用液体洗浄剤組成物中の（ｂ１）成分の含有量と（ａ）成分との含有量との質量比が、（ｂ１）成分／（ａ）成分で、０．０７以上１．６以下、（ｂ１）成分の含有量と（ｂ）成分との含有量との質量比が、（ｂ１）成分／（ｂ）成分で、０．２以上１以下、（ｂ）成分の含有量と（ａ）成分の含有量との質量比が、（ｂ）成分／（ａ）成分で、０．２以上１．６以下となるように混合する。また、（ａ）成分、（ｂ）成分、（ｃ）成分、（ｄ）成分、（ｅ）成分、及び水は、衣料用液体洗浄剤組成物中の含有量が（ａ）成分２０質量％以上６０質量％以下、（ｃ）成分０．５質量％以上５質量％以下、（ｄ）成分０．５質量％以上５質量％以下、（ｅ）成分５質量％以上４０質量％以下となるように用いられる。（ｂ１）成分を含む（ｂ）成分は、１種又は２種以上を用いることができる。また、（ｂ１）成分を含まない（ｂ）成分の１種又は２種以上と、（ｂ１）成分の１種又は２種以上とを、本発明の要件を満たすように用いることができる。
【００７１】
〔衣料の洗浄方法〕
本発明は、水と、本発明の衣料用液体洗浄剤組成物０．０１質量％以上０．１質量％以下とを含有する、温度が０℃以上３５℃以下の洗浄液で、衣料を、洗浄液の量（リットル）／衣料の質量（ｋｇ）＝３以上５０以下の条件で、１分以上７分以下洗浄する、衣料の洗浄方法を提供する。
【００７２】
洗浄液は、本発明の衣料用液体洗浄剤組成物を０．０１質量％以上、好ましくは０．０２質量％以上、そして、０．２質量％以下、好ましくは０．１質量％以下、より好ましくは０．０８質量％以下含有する。
また、洗浄液は（ａ）成分と（ｂ）成分とを合計で０．００６質量％以上、更に０．０１質量％以上、そして、０．０８質量％以下、更に０．０７質量％以下含有することが好ましい。
【００７３】
洗浄液を調製する水としては、如何なる水でも良い。例えば、水道水、イオン交換水、井戸水、河川水等が挙げられる。また、洗浄に適した水の硬度としては、ドイツ硬度で１°ＤＨ以上１０°ＤＨ以下が挙げられる。
【００７４】
洗浄液の温度は、洗浄速度の向上の点で０℃以上であり、３℃以上が好ましく、５℃以上がより好ましい。そして、洗浄液の温度は、衣料を構成する繊維自身に含まれる油剤を落としすぎず、繊維の風合いを維持する点で、３５℃以下であり、３０℃以下が好ましく、１５℃以下がより好ましく、１０℃以下がより好ましい。本発明の洗浄方法は、冬季での洗浄のように、洗浄液の温度が０℃を超え１０℃以下、更には３℃を超え８℃以下の低い温度で衣料を洗浄しても、皮脂汚れの洗浄力に優れ、衣料に優れた抗菌性を付与できる。
【００７５】
近年、洗濯機が大型化し、衣料の質量（ｋｇ）と洗浄液の水量（リットル）の比で表される浴比の値、すなわち洗浄液の水量（リットル）／衣料の質量（ｋｇ）（以下、この比を浴比とする場合もある）の値が小さくなる傾向にある。浴比が小さくなると、家庭用洗濯機を用いた場合には、攪拌による機械力が衣料に伝わりにくくなり、洗浄力が低下すると言われている。本発明の衣料の洗浄方法は、浴比が小さい洗浄条件下でも、洗浄力を維持できる。本発明の衣料の洗浄方法は、洗浄力の点で、浴比は、４以上、更に５以上が好ましい。そして、浴比は、４５以下、更に４０以下、更に３０以下、更に２０以下であっても洗浄力を維持できる。
【００７６】
本発明の衣料の洗浄方法は、洗浄時間が短くても十分な洗浄力が得られる。洗浄力の点で洗浄時間は１分以上であり、２分以上が好ましく、３分以上がより好ましい。経済性の点で、７分以下であり、５分以下が好ましい。
【００７７】
本発明の衣料の洗浄方法は、繊維の精練方法のように、ローラー等で繊維を送りながら、精錬に使用する液に浸漬する方法よりも、消費者の用途に合わせて繊維を構成した衣料の様に、均一に機械力がかからないような対象物に対して、本発明の効果が得られる。また、回転式洗浄方法において本発明の洗浄方法は適している。回転式洗浄方法とは、回転機器に固定されていない衣料が洗浄液と共に、回転軸の周りに回転する洗浄方法を意味する。回転式洗浄方法は回転式洗濯機により実施できる。従って、本発明では、衣料の洗浄を、回転式洗濯機を用いて行うことが好ましい。回転式の洗濯機としては、具体的には、ドラム式全自動洗濯機、パルセータ式全自動洗濯機又はアジテータ式全自動洗濯機が挙げられる。これらの回転式洗濯機は、それぞれ、家庭用として市販されているものと使用することができる。
【００７８】
洗浄速度の向上と食べこぼし汚れの洗浄力をより実感できる点で、本発明の好ましい衣料の洗浄方法は、回転式洗濯機を用いる回転式洗浄方法であり、回転式洗濯機の中で、洗浄に使用する水と衣料と本発明の衣料用液体洗浄剤組成物を撹拌する洗浄方法である。回転式洗濯機は、好ましくはドラム式全自動洗濯機、パルセータ式全自動洗濯機又はアジテータ式全自動洗濯機であり、パルセータ式全自動洗濯機又はアジテータ式全自動洗濯機がより好ましく、パルセータ式全自動洗濯機がより好ましい。この方法において、衣料の質量（ｋｇ）と、洗浄に使用する水と洗浄剤組成物が混合した洗浄液の容量（リットル）の比で表される浴比の値が、衣料の質量（ｋｇ）／洗浄液の容量（リットル）で、５以上が好ましく、１０以上がより好ましく、更には２０以下がより好ましい洗浄方法であり、洗浄液の温度が０℃を超え、好ましくは３℃を超え、更には１５℃以下が好ましく、１０℃以下がより好ましい洗浄方法であり、洗浄に使用する水と衣料と洗浄剤組成物が撹拌を開始して、洗濯機からの洗浄液の排出を始めるまでの時間が、１分以上が好ましく、２分以上がより好ましく、３分以上がより好ましく、更には７分以下が好ましく、６分以下がより好ましく、５分以下がより好ましい洗浄方法である。
【００７９】
従って、本発明の衣料の洗浄方法として、水と、上記本発明の衣料用液体洗浄剤組成物０．０１質量％以上０．１質量％以下とを含有する、温度が０℃を超え、好ましくは３℃を超え、そして１５℃以下、好ましくは１０℃以下の洗浄液で、衣料の質量と前記洗浄液の量（リットル）の比で表される浴比が、洗浄液の量（リットル）／衣料の質量（ｋｇ）＝５以上、好ましくは１０以上、そして２０以下の条件で、衣料を１分間以上、好ましくは２分間以上、より好ましくは３分間以上、そして７分間以下、好ましくは６分間以下、より好ましくは５分間以下、回転式洗濯機、好ましくはドラム式全自動洗濯機、パルセータ式全自動洗濯機又はアジテータ式全自動洗濯機、より好ましくはパルセータ式全自動洗濯機又はアジテータ式全自動洗濯機、より好ましくはパルセータ式全自動洗濯機で洗浄する、衣料の洗浄方法が挙げられる。これらの回転式洗濯機は、それぞれ、家庭用として市販されているものと使用することができる。
【実施例】
【００８０】
＜配合成分＞
実施例、比較例、及び配合例では、以下の成分を用いた。
（ａ）成分
（ａ−１）：一般式（ａ−１）において、Ｒ２ａが炭素数１２、１４の直鎖１級アルキル基であり、Ａ１Ｏがプロピレンオキシ基、Ｍがモノエタノールアンモニウムイオンであり、ｐ１が平均２．０、ｑ１が平均２．０の化合物
（ａ−２）：一般式（ａ−２）において、Ｒ２ａが炭素数１２、１４の直鎖１級アルキル基であり、Ａ１Ｏがプロピレンオキシ基、Ｍがモノエタノールアンモニウムイオンであり、ｐ２が平均２．０、ｑ２が平均２．０の化合物
（ａ−３）：一般式（ａ−１）において、Ｒ２ａが炭素数１２、１４の直鎖１級アルキル基であり、Ａ１Ｏがプロピレンオキシ基、Ｍがモノエタノールアンモニウムイオンであり、ｐ１が平均２．０、ｑ１が平均１．１の化合物
（ａ−４）：一般式（ａ−１）において、Ｒ２ａが炭素数１２、１４の直鎖１級アルキル基であり、Ａ１Ｏがプロピレンオキシ基、Ｍがモノエタノールアンモニウムイオンであり、ｐ１が平均２．０、ｑ１が平均４．０の化合物
（ａ−５）：一般式（ａ−１）において、Ｒ２ａが炭素数１２、１４の直鎖１級アルキル基であり、Ａ１Ｏがプロピレンオキシ基、Ｍがモノエタノールアンモニウムイオンであり、ｐ１が平均２．０、ｑ１が０の化合物
（ａ−６）：一般式（ａ）において、Ｒ１ａが炭素数１２、１４の直鎖１級アルキル基であり、Ａ１Ｏがプロピレンオキシ基、Ｍがモノエタノールアンモニウムであり、ｐが平均２．０、ｑが平均２．０で、プロピレンオキシ基とエチレンオキシ基がランダムに結合した化合物
【００８１】
（ｂ）成分
（ｂ−１）〜（ｂ−８）：表１に記載の（ｂ−１）〜（ｂ−８）を用いた。（ｂ−１）〜（ｂ−８）は、（ｂ１）成分と（ｂ１）成分以外の化合物とを含み、（ｂ１）成分／（ｂ）成分の質量比が本発明の条件を満たす非イオン界面活性剤である。
（ｂ’−１）〜（ｂ’−２）：表１に記載の（ｂ’−１）〜（ｂ’−２）を用いた。（ｂ’−１）〜（ｂ’−２）は、（ｂ１）成分と（ｂ１）成分以外の化合物とを含み、（ｂ１）成分／（ｂ）成分の質量比が本発明の条件を満たさない、非イオン界面活性剤である。
（ｂ−１）〜（ｂ−８）及び（ｂ’−１）〜（ｂ’−２）は、Ｒ１ｂが表１中のＲ２ｂに対応するアルキル基であり、Ａ２Ｏがエキレンオキシ基であり、ｍが表１中のｎに対応する数である化合物の群である。
【００８２】
（ｃ）成分
（ｃ１−１）：Ｎ−ミリスチル−Ｎ，Ｎ−ジメチル−Ｎ−エチルアンモニウムエチルサルフェート
（ｃ１−２）：Ｎ−ラウリル−Ｎ，Ｎ，Ｎ−トリメチルアンモニウムクロリド
（ｃ１−３）：Ｎ−ミリスチル−Ｎ，Ｎ，Ｎ−トリメチルアンモニウムクロリド
（ｃ１−４）：Ｎ−パルミチル−Ｎ，Ｎ，Ｎ−トリメチルアンモニウムクロリド
（ｃ１−５）：Ｎ−アルキル−Ｎ，Ｎ−ジメチル−Ｎ−ベンジルアンモニウムクロリド（組成は、アルキル基がラウリル基、ミリスチル基、パルミチル基である（ｃ−４）成分の質量比が、〔ラウリル基である（ｃ−４）成分〕／〔ミリスチル基である（ｃ−４）成分〕／〔パルミチル基である（ｃ−４）成分〕で５８／４０／２である。）
（ｃ２−１）：Ｎ，Ｎ−ジオクチル−Ｎ，Ｎ−ジメチルアンモニウムメチルクロリド
（ｃ２−２）：Ｎ，Ｎ−ジデシル−Ｎ−メチル−Ｎ−エチルアンモニウムエチルサルフェート
【００８３】
（ｃ’）成分（（ｃ）成分の比較化合物）
（ｃ’−１）：Ｎ−デシル−Ｎ，Ｎ，Ｎ−トリメチルアンモニウムクロリド
（ｃ’−２）：Ｎ−オクタデシル−Ｎ，Ｎ，Ｎ−トリメチルアンモニウムクロリド
【００８４】
（ｄ）成分
（ｄ１−１）：クエン酸
（ｄ１−２）：クエン酸三Ｎａ
【００８５】
（ｅ）成分
（ｅ２−１）：ジエチレングリコールモノブチルエーテル
（ｅ４−１）：プロピレングリコール
【００８６】
（ｆ）成分
（ｆ−１）：ラウリン酸
（ｆ−２）：ミリスチン酸
（ｆ−３）：混合脂肪酸（脂肪酸組成は質量比で、ラウリン酸／ミリスチン酸／パルミチン酸＝３５／６０／５である。）
【００８７】
その他任意成分
モノエタノールアミン：（ａ）成分の対イオンとしての含有量を含み、所定のｐＨにするのに必要な量を用いた。
ポリマー（１）：特開平１０−６０４７６号公報の段落００２０の合成例１の方法で合成した高分子化合物を、組成物中の含有量３質量％で用いた。
蛍光染料：チノパールＣＢＳ−Ｘ（商品名）（チバスペシャリティケミカルズ製）を、組成物中の含有量０．２質量％で用いた。
酵素（１）：エバラーゼ１６．０Ｌ−ＥＸ（商品名）（プロテアーゼ、ノボザイム社製）を、組成物中の含有量０．５質量％で用いた。
酵素（２）：ステインザイム（商品名）（アミラーゼ、ノボザイム社製）を、組成物中の含有量０．３質量％で用いた。
色素（１）：緑色２０２号を、組成物中の含有量０．０００５質量％で用いた。
色素（２）：黄色２０３号を、組成物中の含有量０．０００３質量％で用いた。
【００８８】
＜実施例１〜２０、比較例１〜８＞
表２又は表３に示す各成分を表２又は表３の配合量で混合して、実施例及び比較例の組成物を得た。具体的には以下の方法で衣料用液体洗浄剤組成物を調製した。なお、（ａ）成分について、表中の含有量は、酸型化合物に換算した含有量である。
３００ｍｌのガラス製ビーカーに、直径６０ｍｍのスターラーピース（テフロン（登録商標）製）を入れ、出来上がり質量が２００ｇ、且つ表１に記載の含有量になるように（ａ）成分、（ｂ）成分、（ｃ）成分又は（ｃ’）成分及び必要量の９５質量％の水（次亜塩素酸ナトリウムを３ｍｇ／ｋｇ含有する水）を投入した。投入後、１００回転／分の回転数で２０分攪拌した。その後、必要に応じて（ｄ）成分、（ｅ）成分、モノエタノールアミンを除くその他任意成分を投入し、モノエタノールアミンで組成物のｐＨを表２又は表３に記載のｐＨに調整し、残分の水を用いて最終出来上がり質量（２００ｇ）になるように調整し、表２又は表３の衣料用液体洗浄剤組成物を得た。ｐＨは、下記のｐＨの測定方法に従って測定した。
〔ｐＨの測定法〕
ｐＨメーター（ＨＯＲＩＢＡ製  ｐＨメーター  Ｄ−５１）にｐＨ測定用電極（ＨＯＲＩＢＡ製  型式６３６７）を接続した。ｐＨ電極内部液としては、飽和塩化カリウム水溶液（３．３３モル／Ｌ）を使用した。
ｐＨメーターの校正は、ｐＨ４．０１標準液（フタル酸塩標準液）、ｐＨ６．８６（中性リン酸塩標準液）、ｐＨ９．１８標準液（ホウ酸塩標準液）をそれぞれ５０ｍＬビーカーに入れ、ウォーターバスに３０分間浸漬し、標準液の温度を２０℃に調整した。次に標準液にｐＨ測定用電極を３分間浸し、ｐＨ６．８６→ｐＨ９．１８→ｐＨ４．０１の順に校正操作を行った。
表に記載の組成物の温度をウォーターバスで２０℃に調温し、ｐＨ測定用電極を３分間浸し、ｐＨを測定した。
得られた各組成物を用い、下記の各評価を行った。結果を表２又は表３に示す。
【００８９】
＜抗菌性の試験方法＞
（１）抗菌性試験に用いる布の調製
規格瓶（Ｎｏ．１１）に木綿布（木綿＃２００３、谷頭商店製）２．５ｇ、及び洗浄液（表の衣料用液体洗浄剤組成物を１０ｇ／Ｌとなるように水で希釈したもの）５０ｍｌを投入し、蓋を閉める。振とう機（STRONG SHAKER SR-2DW、TAITEC社製）に瓶をセットし、３００ｒ／ｍｉｎで洗浄１０分、すすぎ３分の操作を５回累積して行ったものを試験布とした。水は全て煮沸滅菌済みの水道水を使用した。
【００９０】
（２）抗菌性試験
着用済の衣料から分離したMoraxella osloensis KMC41株を用いて、ＪＩＳ  Ｌ  １９０２に則り抗菌性試験を行った。具体的には以下のように行った。
上記方法で作製した試験布を２ｃｍ四方に裁断し、試験片（１片あたりの質量は約０．４ｇ）を検体とした。
Moraxella osloensis KMC41株をＳＣＤ−ＬＰ寒天培地を平板としたプレートに画線培養し、３７℃２４時間培養したものを白金耳でかきとり、ニュートリエント（ＮＴ）培地１０ｍＬに入れて、３７℃、１１０ｒｐｍの条件で２４時間前培養した。
前培養した培養液の濃度を吸光度法によって推定し、菌濃度を約１×１０８個／ｍＬに調整した。その後、１／２０ＮＴ培地で更に希釈し、菌濃度を１×１０５個／ｍＬに調整し、試験菌液とした。
試験菌液をピペットで正確に０．２ｍＬ採取し、各検体又は未処理布である標準布（ＪＩＳ  Ｌ  １９０２の標準布）のそれぞれについて、１枚につき数ヵ所に接種し、バイアル瓶に投入し、蓋を閉めた状態で、３７℃で１８時間培養した。試験菌液の接種、培養は、検体と標準布のそれぞれについて、複数を行った。
培養後、及び接種直後の標準布を無作為に５つずつ選定し、洗い出し用ＬＰ希釈液２０ｍＬを加え、蓋を閉め、試験用攪拌器で３０秒攪拌し、菌を洗い流し、菌数を計測した。
培養後の検体を無作為に５つ選定し、検体ごとに、洗い流し用ＬＰ希釈液２０ｍＬを加え、蓋を閉め、試験用攪拌器で３０秒攪拌し、菌を洗い流し、菌数を計測した。
静菌活性値を下記の式で求めた。静菌活性値が２．２以上を合格とした。静菌活性値が高い程、抗菌性が高いことを表す。
静菌活性値＝ＬｏｇＢ−ＬｏｇＣ
Ａ：接種直後の標準布から回収した菌数の平均値
Ｂ：１８時間培養後の標準布から回収した菌数の平均値
Ｃ：１８時間培養後の検体から回収した菌数の平均値
ただし、試験成立条件である、ＬｏｇＢ−ＬｏｇＡが１．５を超えることを満たすものとする。
【００９１】
＜外観の評価方法＞
日本電色株式会社製ＮＤＨ２０００（濁度計）を用いて、表２又は表３に記載の衣料用液体洗浄剤組成物の濁度（カオリン濁度：ｍｇ／ｌ）を測定した。濁度の測定には、セル幅が５０ｍｍのガラス製セルを用いた。測定は２０℃で行った。光源はＤ６５／Ａを用いた。測定された濁度に基づき以下の判定基準で外観を評価した。判定基準の１又は２を合格とした。なお、この評価では、「濁度１」は、精製水にカオリン１ｍｇ／Ｌとなるよう懸濁させた時の濁り具合に相当する濁度である。
〔判定基準〕
１：濁度０〜３未満（目視で透明である水準）
２：濁度３以上〜７未満（目視でほぼ透明である水準）
３：濁度７以上〜１０未満（目視でやや微濁である水準）
４：濁度１０以上〜１６未満（目視で微濁である水準）
５：濁度１６以上〜２５未満（目視で白濁である水準）
６：濁度２５以上（目視で激しく白濁である水準）
【００９２】
【表１】
0006758804.tif 000006
【００９３】
表１中、「Ｃ８〜Ｃ１４の混合２級アルキル基」は、炭素数８〜１４の混合２級アルキル基を意味する。
表１中、「（ｂ１）成分以外の化合物」は、便宜的に一般式（ｂ１）の構造で示したものである。
表１中、「（ｂ１）成分における２級／直鎖１級の質量比」は、（ｂ１）成分中の２級アルキル基を有する化合物と直鎖１級アルキル基を有する化合物の質量比を意味する。
【００９４】
【表２】
0006758804.tif 000007
【００９５】
【表３】
0006758804.tif 000008
【００９６】
表２、３の実施例の衣料用液体洗浄剤組成物は、家庭用の全自動洗濯機ドラム式全自動洗濯機、家庭用のパルセータ式全自動洗濯機又は家庭用のアジテータ式全自動洗濯機で衣料の洗浄した際に良好な洗浄力を示す。実施例の組成物の洗浄力は、例えば、回転式の洗浄を行う機器であるターゴトメーターによる洗浄力の評価で確認することができる。ターゴトメーターは、家庭用の全自動洗濯機ドラム式全自動洗濯機、家庭用のパルセータ式全自動洗濯機又は家庭用のアジテータ式全自動洗濯機のモデル洗浄機器として一般的に使用されている。
【００９７】
＜配合例＞
表４に、本発明の衣料用液体洗浄剤組成物の配合例を示した。
【００９８】
【表４】
0006758804.tif 000009